(57)【特許請求の範囲】
【請求項１】
薬剤を添加した汚泥をろ過体で搬送しながら重力ろ過して濃縮する濃縮装置と、
前記濃縮装置で濃縮された汚泥を一対のベルト間で搬送しながら加圧脱水する脱水装置と、
前記脱水装置で脱水された汚泥を切断する切断装置と、
前記切断装置で切断された汚泥を通気構造を有したコンベアで搬送しながら自然乾燥させる乾燥装置と、
を備え、
前記濃縮装置は、前記汚泥に高分子凝集剤及び鉄系の無機凝集剤を添加する薬注装置を有し、
前記乾燥装置は、前記コンベアが、前記汚泥の搬送方向における上流側から下流側に向かうに従って、鉛直方向上方に傾斜しており、前記コンベアを覆うカバー部材と、前記カバー部材の前記搬送方向の上流側に設けられて自然乾燥させるための空気を供給する送風口と、前記カバー部材の前記搬送方向の下流側に設けられて、前記送風口からの空気を排出する排出口と、を有することを特徴とする汚泥脱水乾燥システム。
【請求項２】
請求項１に記載の汚泥脱水乾燥システムにおいて、
前記濃縮装置は、前記ろ過体で搬送される汚泥を該ろ過体による搬送方向と交差する方向に移動させる移動機構と、
前記移動機構の下流側に設けられ、前記ろ過体の上面で搬送される汚泥を該ろ過体との間で加圧する加圧ローラとを有することを特徴とする汚泥脱水乾燥システム。
【請求項３】
請求項１又は請求項２に記載の汚泥脱水乾燥システムにおいて、
前記切断装置は、汚泥の搬送方向に直交する方向に等間隔で複数並んで設けられ、搬送される汚泥に接触して回転することで、汚泥を搬送方向に沿って切断する円板状の回転カッターと、
汚泥の搬送方向に直交する方向に延在するように設けられ、搬送される汚泥に対して上下動しながら接触することで、汚泥を搬送方向に直交する方向に沿って切断する板状の上下カッターとのうち、少なくとも一方のカッターを有することを特徴とする汚泥脱水乾燥システム。
【請求項４】
請求項３に記載の汚泥脱水乾燥システムにおいて、
前記切断装置は、前記回転カッター及び前記上下カッターを有し、前記回転カッターの下流側に前記上下カッターを配置していることを特徴とする汚泥脱水乾燥システム。
【発明の詳細な説明】
【技術分野】
【０００１】
本発明は、汚泥を脱水した後に切断して乾燥する汚泥脱水乾燥システムに関する。
【背景技術】
【０００２】
一般に、下水や工場廃水等の汚泥をベルトプレス型脱水機等で脱水した場合、汚泥の含水率は８２ｗｔ％程度となるため、例えばこのような脱水汚泥を焼却する場合には多大な焼却エネルギーが必要となる。そこで従来、脱水汚泥を乾燥システムを用いて乾燥させることで汚泥の含水率をさらに低下させることが行われている。
【０００３】
例えば特許文献１には、脱水汚泥を乾燥させる汚泥乾燥機として、複数段のベルトコンベアと各ベルトコンベア間に設置されて汚泥を解砕する解砕機とを有する乾燥処理部と、この乾燥処理部に乾燥空気を供給する乾燥空気発生部とを備えた構成が開示されている。
【先行技術文献】
【特許文献】
【０００４】
【特許文献１】特許第５５１５１６０号公報
【発明の概要】
【発明が解決しようとする課題】
【０００５】
ところで、上記特許文献１の構成では、汚泥乾燥機に導入される汚泥が従来一般的な脱水機によって脱水処理されたものであってその含水率が８２ｗｔ％程度と高い。このため、この特許文献１の構成では、汚泥乾燥機に導入する汚泥を細かくして乾燥し易くするために多孔板に対して汚泥を押圧して紐状に押出成形する構成を採用しており、装置構造が大型化し易く、汚泥の押出成形に要する電力等のランニングコストも大きなものとなる。しかも、特許文献１の構成では、含水率の高い汚泥を乾燥させるため、汚泥乾燥機内に送風する乾燥空気を生成するためのヒータ及びクーラを用いており、電力等のランニングコストが一層高いものとなっている。
【０００６】
本発明は、上記従来の問題を考慮してなされたものであり、汚泥を低コストで脱水及び乾燥することができる汚泥脱水乾燥システムを提供することを目的とする。
【課題を解決するための手段】
【０００７】
本発明に係る汚泥脱水乾燥システムは、薬剤を添加した汚泥をろ過体で搬送しながら重力ろ過して濃縮する濃縮装置と、前記濃縮装置で濃縮された汚泥を一対のベルト間で搬送しながら加圧脱水する脱水装置と、前記脱水装置で脱水された汚泥を切断する切断装置と、前記切断装置で切断された汚泥を通気構造を有したコンベアで搬送しながら乾燥させる乾燥装置とを備えることを特徴とする。
【０００８】
このような構成によれば、濃縮装置及び脱水装置によって十分に脱水された汚泥を切断装置で細かく切断してから乾燥装置に導入して乾燥させる。従って、切断装置に導入される汚泥の含水率が十分に低下しているため、例えば円板状や板状のカッターで汚泥を容易に切断することができる。このため、例えば汚泥を多孔板に対して押圧する等の大型の設備が不要であり、低コストで脱水汚泥を細かくすることができ、さらに汚泥の含水率が十分に低下していることから切断後の汚泥の形状が保持される。しかも乾燥装置は、このように含水率が低下した状態で細かく切断された汚泥を乾燥させればよいためコンベアで搬送するだけの自然乾燥であっても所望の含水率まで汚泥を乾燥させることができる。この際、汚泥は切断後の形状、つまり多面形状が保持されているため、乾燥装置で空気に触れる表面積が大きくなり、乾燥効率が向上する。このため、汚泥を乾燥させるためのヒータやクーラ等の設備が不要となり、一層低コストで脱水汚泥を乾燥することができる。
【０００９】
前記濃縮装置は、前記ろ過体によって搬送される汚泥に対して鉄系の無機凝集剤を添加する薬注装置を有する構成であってもよい。そうすると、濃縮装置及びその後段の脱水装置での汚泥の脱水率を一層高めることができる。
【００１０】
前記濃縮装置は、前記ろ過体で搬送される汚泥を該ろ過体による搬送方向と交差する方向に移動させる移動機構と、前記移動機構の下流側に設けられ、前記ろ過体の上面で搬送される汚泥を該ろ過体との間で加圧する加圧ローラとを有する構成であってもよい。そうすると、薬剤が添加されてろ過体で搬送される汚泥を移動機構によってその搬送方向と異なる方向に移動させることが圧密することができ、さらにその圧密した汚泥を加圧ローラによって加圧脱水することができるため、脱水装置に導入される前の汚泥の含水率を大きく低下させることができる。
【００１１】
前記切断装置は、汚泥の搬送方向に直交する方向に等間隔で複数並んで設けられ、搬送される汚泥に接触して回転することで、汚泥を搬送方向に沿って切断する円板状の回転カッターと、汚泥の搬送方向に直交する方向に延在するように設けられ、搬送される汚泥に対して上下動しながら接触することで、汚泥を搬送方向に直交する方向に沿って切断する板状の上下カッターとのうち、少なくとも一方のカッターを有する構成であってもよい。このような回転カッターや上下カッターを用いて汚泥を切断することで、乾燥装置に導入される前の汚泥を簡素な装置を用いて低コストで細かく分割し、空気に触れる面積を大きくすることができる。
【００１２】
前記乾燥装置は、前記コンベアを覆うカバー部材を有する構成であってもよい。そうすると、コンベアで搬送・乾燥される汚泥を外気や湿度から保護することができる。
【００１３】
また、本発明に係る汚泥脱水乾燥システムは、薬剤が添加されて脱水された汚泥を切断する切断装置と、前記切断装置で切断された汚泥を通気構造を有したコンベアで搬送しながら乾燥させる乾燥装置とを備え、前記切断装置は、汚泥の搬送方向に直交する方向に等間隔で複数並んで設けられ、搬送される汚泥に接触して回転することで、汚泥を搬送方向に沿って切断する円板状の回転カッターと、汚泥の搬送方向に直交する方向に延在するように設けられ、搬送される汚泥に対して上下動しながら接触することで、汚泥を搬送方向に直交する方向に沿って切断する板状の上下カッターとのうち、少なくとも一方のカッターを有することを特徴とする。
【００１４】
このような構成によっても汚泥を低コストで脱水及び乾燥することができる。
【００１５】
前記切断装置は、前記回転カッター及び前記上下カッターを有し、前記回転カッターの下流側に前記上下カッターを配置しているとよい。そうすると、先に回転カッターで汚泥を搬送方向に沿って長尺な帯状に切断した後、次の上下カッターで円滑に切断してサイコロ状に形成することができる。
【発明の効果】
【００１６】
本発明によれば、簡素な構造の切断装置を用いて脱水汚泥を切断して細かくして乾燥することができるため、汚泥を低コストで脱水及び乾燥することができる。
【図面の簡単な説明】
【００１７】
【図１】図１は、本発明の一実施形態に係る汚泥脱水乾燥システムの全体構成を示す側面図である。
【図２】図２は、図１に示す汚泥脱水乾燥システムを構成する濃縮装置の要部拡大平面図である。
【図３】図３は、図１に示す汚泥脱水乾燥システムを構成する脱水装置の下流側に設けられた切断装置及び乾燥装置付近での側面図である。
【図４】図４は、切断装置を構成する回転カッターで汚泥を切断している状態を模式的に示した説明図であり、図４（Ａ）は、平面図であり、図４（Ｂ）は、側面図である。
【図５】図５は、切断装置を構成する上下カッターで汚泥を切断している状態を模式的に示した説明図であり、図５（Ａ）は、平面図であり、図５（Ｂ）は、側面図である。
【図６】図６は、乾燥装置のコンベアの通気構造の一構成例を示す要部拡大側面図である。
【図７】図７は、乾燥装置のコンベアの通気構造の別の構成例を示す要部拡大側面図である。
【発明を実施するための形態】
【００１８】
以下、本発明に係る汚泥脱水乾燥システムについて好適な実施の形態を挙げ、添付の図面を参照しながら詳細に説明する。
【００１９】
１．汚泥脱水乾燥システムの全体構成の説明
図１は、本発明の一実施形態に係る汚泥脱水乾燥システム１０の全体構成を示す側面図である。図２は、図１に示す汚泥脱水乾燥システム１０を構成する濃縮装置１２の要部拡大平面図であり、図３は、図１に示す汚泥脱水乾燥システム１０を構成する脱水装置１３の下流側に設けられた切断装置１４及び乾燥装置１５付近での側面図である。
【００２０】
本実施形態に係る汚泥脱水乾燥システム１０は、上段の濃縮装置１２で汚泥を重力ろ過した後、下段の脱水装置１３で加圧脱水することで脱水ケーキを生成し、この脱水ケーキを切断装置１４で細かく切断した後、乾燥装置１５で乾燥しながら外部に搬送する汚泥処理設備である。本実施形態では処理対象として下水の嫌気性消化汚泥を用いるが、本実施形態に係る汚泥脱水乾燥システム１０は、下水汚泥以外の汚泥、例えば工場廃水や鉱山での廃水等の汚泥処理にも利用できる。
【００２１】
汚泥脱水乾燥システム１０（以下、単に「システム１０」ともいう）は、周回軌道上を走行するろ布ベルト１６の上面１６ａで汚泥を重力ろ過（重力濃縮）するろ過部１８を備えた濃縮装置１２と、濃縮装置１２で濃縮された汚泥を一対のろ布ベルト２０，２２間で挟持しながら搬送し、加圧脱水する脱水装置１３と、脱水装置１３で脱水された汚泥を搬送しながら切断する切断装置１４と、切断装置１４で切断された汚泥を通気構造２３ａを有したコンベア２３で搬送しながら乾燥させる乾燥装置１５とを備える。濃縮装置１２の直前には、当該システム１０の前段設備から搬送された汚泥中に薬剤として高分子凝集剤Ｆ１を混合するための凝集混和槽２４が設けられている。高分子凝集剤Ｆ１としては、一般に公知のものを用いればよく、例えばアニオン性高分子凝集剤やカチオン性高分子凝集剤が挙げられる。
【００２２】
１．１  濃縮装置の説明
先ず、濃縮装置１２について説明する。
【００２３】
図１及び図２に示すように、濃縮装置１２は、凝集混和槽２４からろ布ベルト１６の上面１６ａに投入された汚泥を重力ろ過するろ過部１８と、ろ過部１８で重力ろ過された汚泥をろ布ベルト１６との間で加圧脱水して下段の脱水装置１３へと排出する予備脱水ローラ（加圧ローラ）２５，２６とを備える。ろ過部１８の途中には、ろ布ベルト１６の上面１６ａとの間で汚泥を押圧して圧密する圧密機構２８と、ろ布ベルト１６による搬送方向と交差（本実施形態では直交）する方向に汚泥を移動させる移動機構３０が設けられている。
【００２４】
ろ過部１８は、複数のローラ及び予備脱水ローラ２５，２６に巻き掛けられ、一方向に周回駆動される無端状のろ布ベルト１６の上面（外周面）１６ａで構成されている。ろ過部１８は、所定のローラ１９ａ，１９ｂ間に張られたろ布ベルト１６の上面１６ａに汚泥が載置されることで、該汚泥に含まれる水分を重力によってろ過分離する手段である。
【００２５】
ろ布ベルト１６は、例えば通水性を持った長尺帯状のろ布や微細な孔部が網目状に複数形成された長尺帯状の金属スクリーン等によって構成され、十分な張力で各ローラ及び予備脱水ローラ２５，２６に巻き掛けられている。ろ布ベルト１６は、図示しない制御装置によって駆動制御されるモータ等の駆動源によって所定のローラが回転駆動されることにより、図１中に示す矢印の方向（図１では反時計方向）に走行可能である。これにより、図１及び図２中で右側（上流側）から左側（下流側）に向かう方向が濃縮装置１２での汚泥の搬送方向となる。
【００２６】
従って、ろ過部１８の上流位置に凝集混和槽２４の出口ポート２４ａから投入された汚泥は、ろ布ベルト１６によって下流側へと搬送されつつ、水分のみが重力によってろ布ベルト１６を透過してろ過脱水され、ろ過された水分（分離液、ろ液）は、ろ液受皿３１によって回収される（図１参照）。
【００２７】
ろ過部１８を構成するろ布ベルト１６の上面１６ａの所定位置（図１では最も上流側の圧密機構２８の上流側）には、棒体３２が立設されている。棒体３２は、ろ布ベルト１６上を搬送される汚泥に当接して分散させ、その水切りを促進するための障害物であり、その設置位置や本数、形状等は、適宜変更可能である。
【００２８】
ろ過部１８における移動機構３０の上流側には、搬送される汚泥に対して薬剤として無機凝集剤Ｆ２を添加する薬注装置（薬剤添加装置）３６が設けられている。薬注装置３６は、無機凝集剤Ｆ２を貯留する薬品タンク３６ａと、薬品タンク３６ａの出口に接続されたライン３６ｂを備える。無機凝集剤Ｆ２としては一般に公知のものを用いればよく、例えば鉄系やアルミ系のものが挙げられる。ライン３６ｂは、ろ布ベルト１６の幅方向に亘って配設され、汚泥に対して図示しない添加ノズルから無機凝集剤Ｆ２を添加することができる。ライン３６ｂは、凝集混和槽２４へと投入される汚泥に無機凝集剤Ｆ２を添加可能に配設されてもよい。
【００２９】
一方、上記した高分子凝集剤Ｆ１は、薬注装置（薬剤添加装置）３８によって凝集混和槽２４に投入される直前の汚泥に添加される。薬注装置３８は、高分子凝集剤Ｆ１を貯留する薬品タンク３８ａと、薬品タンク３８ａの出口に接続されたライン３８ｂを備える。ライン３８ｂは、ライン３６ｂと同様にろ過部１８を搬送される汚泥に対して高分子凝集剤Ｆ１を添加する構成であってもよい。
【００３０】
薬注装置３８からの高分子凝集剤Ｆ１が添加された汚泥が導入される凝集混和槽２４は、汚泥が貯留されるタンク２４ｂと、タンク２４ｂ内の汚泥をモータ２４ｃを駆動源として攪拌する攪拌羽根２４ｄとを備える。攪拌羽根２４ｄによってタンク２４ｂ内で高分子凝集剤Ｆ１が十分に混合された汚泥は、出口ポート２４ａからろ布ベルト１６の上面１６ａに投入される。
【００３１】
圧密機構２８は、ろ布ベルト１６上を搬送される汚泥を押し潰すことで、その高さ寸法を縮小して圧密するものである。図１に示すように、圧密機構２８は、ろ過部１８の途中に３台設けられ、２台の移動機構３０の上流側及び下流側となる位置にそれぞれ配置されている。圧密機構２８の設置台数は適宜変更可能である。
【００３２】
図１及び図２に示すように、各圧密機構２８は、汚泥の搬送方向で下流側に向かって次第に下方へと湾曲した後、ろ布ベルト１６と所定間隔を介して平行配置される押圧プレート２８ａを有する。押圧プレート２８ａは金属板やゴムシートで形成され、例えばろ布ベルト１６の幅方向に亘って設けられている（図２参照）。押圧プレート２８ａは、その自重と上面の支柱２８ｂに配設されたばね部材２８ｃとにより下方に向かって付勢され、ろ布ベルト１６上を搬送される汚泥を押し潰して圧密することができる。
【００３３】
移動機構３０は、ろ布ベルト１６上を搬送される汚泥を交差方向に移動させつつ、その幅方向寸法を縮小すると同時に汚泥高さを高くすることで圧密し、薬注装置３６によって添加された無機凝集剤Ｆ２を十分に混練することで、濃縮装置１２及び脱水装置１３での汚泥のろ過効率を向上させ、汚泥濃度を高めることを可能とする。図１に示すように、移動機構３０は、ろ過部１８の途中に２台設けられ、それぞれの上流側及び下流側に圧密機構２８が配置されている。移動機構３０の設置台数は適宜変更可能である。
【００３４】
図１及び図２に示すように、各移動機構３０は、ろ布ベルト１６の上面１６ａの上流側全面に向かって開口して汚泥を受け入れ可能なスクリューコンベアである。各移動機構３０は、ろ布ベルト１６による搬送方向と直交する方向に汚泥を移動させる一対のスクリュー４０ａ，４０ｂと、スクリュー４０ａ，４０ｂの下流側に近接配置され、ろ布ベルト１６の幅方向両端側にそれぞれ起立配置された一対の案内板４２ａ，４２ｂとを備える。一対の案内板４２ａ，４２ｂ間の隙間（各スクリュー４０ａ，４０ｂ間の隙間と略同一）が、当該移動機構３０から下流側へと汚泥を排出するための通路（汚泥通路４３）となっている。
【００３５】
スクリュー４０ａ，４０ｂは、ろ布ベルト１６による汚泥の搬送方向と直交する方向に延びて該ろ布ベルト１６を幅方向に渡るスクリュー軸４４と、スクリュー軸４４の中央付近を除く両側方の外周面にそれぞれらせん状に設けられたスクリュー羽根４１ａ，４１ｂとを有する。
【００３６】
スクリュー軸４４は、図示しない軸受によって両端部がろ布ベルト１６の幅方向外側位置で軸支され、例えばろ布ベルト１６を巻き掛けた所定のローラに対して図示しないチェーンやベルト等の可撓性動力伝達部材によって連係されることで、ろ布ベルト１６の走行に伴って回転可能である。スクリュー軸４４を独自に回転駆動するモータ等の駆動源を設けてもよい。
【００３７】
各スクリュー羽根４１ａ，４１ｂは、ろ布ベルト１６の幅方向両側方に寄った位置でスクリュー軸４４の外周面にそれぞれ設けられ、互いの先端同士が案内板４２ａ，４２ｂ間の隙間と同程度の隙間を介して対向している。各スクリュー羽根４１ａ，４１ｂのらせんの方向は、ろ布ベルト１６の中心線で対照形状（逆向き）となっており、各スクリュー４０ａ，４０ｂによる汚泥の移動方向はそれぞれ反対方向に設定されている。このため、各スクリュー４０ａ，４０ｂは、互いにろ布ベルト１６の幅方向で外側から内側（中央）に向かって汚泥を移動させ、その先端同士が前記隙間を介して離間した中央部では、両外側から移動された汚泥同士が互いに押し合って圧密され、無機凝集剤Ｆ２が汚泥中で十分に混練される。
【００３８】
スクリュー軸４４の中央部、つまり各スクリュー４０ａ，４０ｂ間で露出したスクリュー軸４４の外周面には、ろ布ベルト１６の幅方向中央側を搬送されてきた汚泥と、一対のスクリュー４０ａ，４０ｂによって中央に圧密された汚泥とを下流側へと円滑に排出するためのパドル４５が複数枚設けられている。パドル４５は、例えばスクリュー軸４４の外周面に周方向に沿って数枚一組で設けられた羽根車である。
【００３９】
案内板４２ａ，４２ｂは、スクリュー４０ａ，４０ｂの下流側であって該スクリュー４０ａ，４０ｂと近接する位置で起立した壁部４６と、壁部４６の下端をろ布ベルト１６による汚泥の搬送方向で上流側へと湾曲させて突出させることでスクリュー４０ａ，４０ｂの下方略半分を覆う底部４７とを有する。各案内板４２ａ，４２ｂの中央側の端部には、ろ布ベルト１６による汚泥の搬送方向に沿って下流側へと延びた一対の通路板４８ａ，４８ｂがそれぞれ設けられている。各案内板４２ａ，４２ｂ間の隙間は、各スクリュー４０ａ，４０ｂによる汚泥の移動方向で前方側に位置しており、この隙間が下流側へと汚泥を排出するための汚泥通路４３を形成している。
【００４０】
壁部４６は、スクリュー４０ａ，４０ｂの高さと同程度の高さに設定される板状部材であり、その高さは適宜変更可能である。底部４７は、図１に示すように、壁部４６の下端から搬送方向で上流側に向かってスクリュー４０ａ，４０ｂの略中心となる位置まで突出形成される板状部材であり、その長さは適宜変更可能である。案内板４２ａ，４２ｂを構成する壁部４６や底部４７には、微細な孔部を多数形成したスクリーン等を用いてもよい。
【００４１】
各通路板４８ａ，４８ｂは、スクリュー羽根４１ａ，４１ｂ間や案内板４２ａ，４２ｂ間に形成される隙間と同幅の隙間を挟んで互いに対面するように起立設置されている。通路板４８ａ，４８ｂは、スクリュー４０ａ，４０ｂによってろ布ベルト１６の中央付近に圧密された汚泥を、下流側へと円滑に排出するための通路を形成する壁部材であり、壁部４６と同程度の高さに設定される。
【００４２】
従って、移動機構３０を設けたことにより、汚泥は無機凝集剤Ｆ２と十分に混練されると共に、圧密によって高さを増す。また、この移動機構３０の前後に圧密機構２８を設けることにより、移動機構３０に導入される汚泥を均して平板状に構成することができ、移動機構３０による圧密効果が高まる。しかも、スクリュー４０ａ，４０ｂによって中央に集められて圧密されて塊状になった汚泥を圧密機構２８によって平板状に均すことができるため、後段の予備脱水ローラ２５，２６での脱水効率が向上する。
【００４３】
図１に示すように、予備脱水ローラ２５，２６は、濃縮装置１２の下方に配置された脱水装置１３の前段脱水部（１次脱水部）を構成するものであり、ろ布ベルト１６に対してその外周面が圧接配置されている。
【００４４】
ろ過部１８でろ過濃縮されると共に、圧密機構２８及び移動機構３０で無機凝集剤Ｆ２が十分に混練された汚泥は、予備脱水ローラ２５，２６とろ布ベルト１６との間で加圧脱水された後、次工程の脱水装置１３に投入される。予備脱水ローラ２５，２６は、圧密機構２８及び移動機構３０で圧密された汚泥を潰し、ろ布ベルト１６の幅方向に拡大させた状態で脱水装置１３に送り出すことで、該脱水装置１３に投入される汚泥の脱水面積を拡大させ、ここでの脱水効率を向上させる機能も有する。
【００４５】
１．２  脱水装置の説明
次に、脱水装置１３について説明する。
【００４６】
図１に示すように、脱水装置１３は、濃縮装置１２の出口から落下して投入された汚泥を一対のろ布ベルト２０，２２間で搬送しながら加圧脱水する脱水部５０と、脱水部５０で脱水された汚泥をさらに加圧し圧搾する圧搾部５２とを備える。脱水装置１３は、一般的なベルトプレス型脱水機と略同様な構成である。
【００４７】
ろ布ベルト２０，２２は、例えば通水性を持った長尺帯状のろ布や微細な孔部が網目状に複数形成された長尺帯状の金属スクリーン等によって構成される。下側のろ布ベルト２０は、十分な張力で複数のローラに巻き掛けられており、図示しない制御装置によって駆動制御されるモータ等の駆動源によって所定のローラが回転駆動されることにより、図１中に示す矢印の方向（図１では時計方向）に走行可能である。上側のろ布ベルト２２についても、十分な張力で複数のローラに巻き掛けられており、図示しない制御装置によって駆動制御されるモータ等の駆動源によって所定のローラが回転駆動されることにより、図１中に示す矢印の方向（図１では反時計方向）に走行可能である。
【００４８】
ローラ２１ａ〜２１ｃ間での下のろ布ベルト２０と上のろ布ベルト２２との外周面同士を上下に蛇行させながら当接又は近接配置した部分が脱水部５０を構成しており、この間で汚泥は十分に加圧脱水される。
【００４９】
ローラ２１ｂ，２１ｃ間での下のろ布ベルト２０と上のろ布ベルト２２との外周面同士を当接又は近接配置した部分が圧搾部５２を構成している。圧搾部５２を構成する下のろ布ベルト２０のローラ２１ｂ，２１ｃの内周面は、無端状に周回する圧搾ベルト５３によって支持されており、この部分で汚泥がさらに加圧されて圧搾され、所望の水分率の脱水ケーキとなって外部に排出される。
【００５０】
脱水装置１３の入口付近には、濃縮装置１２の出口からろ布ベルト２０上へと落下・投入された汚泥の高さをある程度均一化させ、ろ布ベルト２０，２２間に形成された脱水部５０の入口５０ａへと円滑に導入するための均し板５１が設けられている。均し板５１は、濃縮装置１２からろ布ベルト２０上への汚泥の落下位置のやや下流側上方に配置され、入口５０ａに向かって次第に下方に傾斜したプレート部材であり、汚泥を下方に押さえつける方向に付勢された板ばね部材で形成してもよい。
【００５１】
脱水装置１３の出口には、ローラ２１ｃの外周面を走行するろ布ベルト２０に近接するように、後端下がりの傾斜姿勢で搬出トレイ５４が設置されている。脱水ケーキは搬出トレイ５４の先端によってろ布ベルト２０上から掻き取られ、搬出トレイ５４を滑って搬送・排出される。
【００５２】
従って、脱水装置１３では、濃縮装置１２からろ布ベルト２０上に投入された汚泥は、入口５０ａから脱水部５０を構成するろ布ベルト２０，２２間に引き込まれて挟持・加圧された状態で下流側へと搬送される。この間、水分のみが両ろ布ベルト２０，２２による加圧力によってろ布ベルト２０を透過してろ過脱水され、さらに圧搾部５２で圧搾された後、脱水ケーキとして搬出トレイ５４上に排出される。これら脱水部５０及び圧搾部５２でろ過された水分は、ろ布ベルト２０を透過して落下し、ろ液受皿５８によって回収される。
【００５３】
１．３  切断装置の説明
次に、切断装置１４について説明する。
【００５４】
図４は、切断装置１４を構成する回転カッター６０で汚泥を切断している状態を模式的に示した説明図であり、図４（Ａ）は、平面図であり、図４（Ｂ）は、側面図である。また、図５は、切断装置１４を構成する上下カッター６２で汚泥を切断している状態を模式的に示した説明図であり、図５（Ａ）は、平面図であり、図５（Ｂ）は、側面図である。
【００５５】
切断装置１４は、脱水装置１３で脱水され、搬出トレイ５４上を搬送される汚泥を切断するための装置である。図１に示すように、切断装置１４は、脱水装置１３から出た汚泥を切断する円板状の回転カッター６０と、回転カッター６０の下流側に配置され、回転カッター６０で切断された汚泥をさらに切断して細かくする板状の上下カッター６２とを備える。
【００５６】
先ず、回転カッター６０は、図４（Ａ）及び図４（Ｂ）に示すように、搬出トレイ５４での汚泥の搬送方向（図４では右方向）に直交する方向に等間隔で複数（本実施形態では、例えば４枚）並んで設けられた円板状の薄板部材である。各回転カッター６０は、その中心間を連結した回転軸６４により一体的に回転可能となっており、各回転カッター６０の外周刃面の最も下になる部分が搬出トレイ５４の上面との間に僅かな隙間を持って配設される。回転カッター６０の設置枚数は適宜変更可能であり、また各回転カッター６０はそれぞれ個別に回転自由に設置されてもよい。また、回転カッター６０の回転軸６４を図示しないモータ等の駆動源によって回転駆動してもよい。
【００５７】
従って、搬出トレイ５４上をその幅方向に亘った幅広平板状で搬送されている汚泥Ｓが各回転カッター６０と接触すると、各回転カッター６０は回転しながら汚泥Ｓを搬送方向に沿って切断する。その結果、汚泥Ｓは、搬送方向に直交する方向に複数（本実施形態では、５本）に切断・分割され、長尺な狭幅棒状の汚泥Ｓ１となる。
【００５８】
次に、上下カッター６２は、図５（Ａ）及び図５（Ｂ）に示すように、搬出トレイ５４での汚泥の搬送方向（図５では右方向）に直交する方向に延在するように設けられた矩形状の薄板部材である。上下カッター６２は、図示しないモータ等の駆動源を有した昇降駆動部６６により上下動可能となっており、最も下動した位置ではその下端刃面が搬出トレイ５４の上面との間に僅かな隙間を持つ位置となり、最も上動した位置ではその下端刃面が搬送される汚泥（ここでは汚泥Ｓ１）よりも上方の位置となるように配設されている。昇降駆動部６６による上下カッター６２の上下動のタイミングは適宜変更可能である。
【００５９】
従って、搬出トレイ５４上を搬送されて回転カッター６０によって切断されることで狭幅棒状に切断・分割された汚泥Ｓ１は、所定のタイミングで上下動する上下カッター６２によってその搬送方向と直交する方向に切断・分割され、サイコロ状の汚泥Ｓ２となる。
【００６０】
なお、後述する乾燥装置１５の仕様や乾燥装置１５での汚泥の目標含水率等にもよるが、切断装置１４は回転カッター６０及び上下カッター６２の一方のみを有した構成であってもよい。また、回転カッター６０及び上下カッター６２の両方を設置する場合の並び順は、本実施形態とは逆で上下カッター６２を上流側としてもよい。但し、回転カッター６０よりも先に上下カッター６２で汚泥Ｓを切断した場合には、搬出トレイ５４の幅方向に長尺且つ搬送方向に短尺な形状、具体的には図４中の汚泥Ｓ１を９０度回転させたような形状となるため、切断された汚泥が搬出トレイ５４上で転倒し易く、その下流側の回転カッター６０での切断・分割が難しくなる。この点、本実施形態の構成では、先に回転カッター６０で汚泥Ｓを搬送方向に沿って長尺な汚泥Ｓ１とするため転倒等の問題は生じ難く、次の上下カッター６２で円滑に汚泥Ｓ１を切断してサイコロ状の汚泥Ｓ２を形成することができる。
【００６１】
１．４  乾燥装置の説明
次に、乾燥装置１５について説明する。
【００６２】
乾燥装置１５は、切断装置１４で切断されてサイコロ状に細かくされた汚泥（汚泥Ｓ２）を乾燥させ、その含水率をさらに低下させるための装置である。図３に示すように、乾燥装置１５は、切断装置１４で切断されて搬出トレイ５４から排出された汚泥を受け取り、次工程（例えば外部の焼却設備）へと搬送するコンベア２３と、コンベア２３を覆うダクト状のカバー部材６８とを備える。
【００６３】
コンベア２３は、複数のローラに巻き掛けられて周回走行するベルトコンベアであり、汚泥Ｓ２を搬送しながら乾燥させるための通気構造２３ａを有する。本実施形態の場合、図６に示すようにコンベア２３をメッシュ状のベルト７０で構成することで通気構造２３ａを構築し、搬送する汚泥Ｓ２の下面側にも空気が流通するようにし、汚泥Ｓ２を十分に乾燥させることが可能となっている。ベルト７０のメッシュ形状は、切断装置１４で細かく切断された汚泥Ｓ２の外形よりも小さく構成されることで、汚泥Ｓ２の落下を防止できる。
【００６４】
なお、通気構造２３ａはメッシュ状のベルト７０以外で構成されてもよく、要は搬送する汚泥Ｓ２の下面側に空気が流通し、汚泥Ｓ２を十分に乾燥させることができる構成であればよい。このため、通気構造２３ａは、例えば図７に示すようにメッシュ状又はメッシュ状ではないベルト７２の外周面に凹凸構造７２ａを形成した構成であってもよい。このような凹凸構造７２ａを設けることでも、搬送する汚泥Ｓ２の下面側に空気が流通するため、汚泥Ｓ２を十分に乾燥させることができる。このベルト７２の凹凸構造７２ａについても、少なくとも凹部が切断装置１４で細かく切断された汚泥Ｓ２の外形よりも小さく構成されることで、汚泥Ｓ２が凹部に嵌まってしまうことを防止できる。
【００６５】
カバー部材６８は、コンベア２３の略全長を覆うように設けられた金属製等のダクトであり、コンベア２３で搬送・乾燥される汚泥を外気や湿度から保護するためのものである。カバー部材６８は、下流側に送風口６８ａが設けられ、上流側に排気口６８ｂが設けられている。これにより、送風口６８ａからカバー部材６８内に空気を送り込んで排気口６８ｂから排気することで、カバー部材６８内が換気され、コンベア２３で搬送される汚泥を一層迅速に且つ確実に乾燥させることが可能となる。乾燥装置１５が乾燥した低湿度の環境に設置されている場合等には、カバー部材６８を省略してもよい。
【００６６】
カバー部材６８では、図示しない乾燥空気生成手段によって生成された乾燥空気を送風口６８ａから送り込んでもよい。但し、本実施形態に係るシステム１０では前段の濃縮装置１２及び脱水装置１３で汚泥の含水率が従来のベルトプレス型脱水機等に比べて十分に低減され、さらに切断装置１４で細かく切断された状態で乾燥装置１５に投入されるため、特別に乾燥空気等を用いなくても汚泥を十分に乾燥させることができる。このため、乾燥空気生成手段は基本的には不要となる。なお、システム１０では、このように乾燥装置１５に導入される汚泥の含水率が低いため、例えば乾燥空気生成手段を用いる場合であっても、乾燥空気を加熱するヒータは不要であり、クーラによる除湿のみで十分な性能を発揮できる。
【００６７】
２．汚泥脱水システムの動作及び作用効果の説明
次に、以上のように構成される汚泥脱水乾燥システム１０の動作及び作用効果について説明する。
【００６８】
先ず、当該システム１０で濃縮・脱水する処理対象物である汚泥は、薬注装置３８によって所定の高分子凝集剤Ｆ１が添加された状態で凝集混和槽２４に導入され、攪拌・混合されてフロック化した状態で濃縮装置１２の入口に投入される。
【００６９】
濃縮装置１２に投入された汚泥は、走行するろ布ベルト１６によってろ過部１８を搬送され、圧密機構２８及び移動機構３０による圧密を受けつつ、薬注装置３６から所定の無機凝集剤Ｆ２が滴下されつつ、重力濃縮される。
【００７０】
すなわち、無機凝集剤Ｆ２が搬送方向に連続する帯状に添加された汚泥は、圧密機構２８によって押し潰されて水切りされた後、移動機構３０に導入されて各スクリュー４０ａ，４０ｂの回転に巻き込まれると、案内板４２ａ，４２ｂによって案内されつつ、中央部に向かって押し込まれながら移動する。そして、各スクリュー４０ａ，４０ｂによる押出力によってろ布ベルト１６の中央部で汚泥同士が押し潰され合って圧密される。これにより、汚泥は、その幅方向寸法が縮小して高さ（嵩）が増加した状態で汚泥通路４３を通って通路板４８ａ，４８ｂ間から下流側へと排出され、この間にも、ろ布ベルト１６による重力ろ過が継続されて所望の濃縮濃度まで濃縮される。これにより、濃縮装置１２での汚泥の濃縮濃度は、一般的な濃縮装置で通常の重力ろ過のみを受けた場合に比べて大幅に高まる。
【００７１】
２つの移動機構３０によって圧密された汚泥は、その下流側の圧密機構２８による押し潰し作用と水切り作用をさらに受けつつ、さらに下流側へと搬送されて予備脱水ローラ２５，２６に順に導入される。その結果、扁平に広げられると共に、さらに濃縮された汚泥は、次に、脱水装置１３の入口側に落下・投入される。
【００７２】
脱水装置１３に投入された汚泥は、脱水部５０において蛇行する上下一対のろ布ベルト２０，２２間で挟持・加圧されて効率よく脱水されながら搬送され、次に圧搾部５２に導入されることで圧搾され、所望の含水率の脱水ケーキとなり、搬出トレイ５４へと排出される。例えば、従来のベルトプレス型脱水機での脱水汚泥の含水率が８２ｗｔ％程度であったのに比べ、当該システム１０の濃縮装置１２と脱水装置１３を経た脱水汚泥の含水率は７５ｗｔ％以下まで低下することが実験によって得られた。
【００７３】
次に、脱水装置１３から搬出トレイ５４に投入されて搬送される汚泥は、切断装置１４によって切断・分割されて細かくなり、例えばサイコロ状に細かくなった汚泥Ｓ２として乾燥装置１５のコンベア２３に投入される。当該システム１０では、切断装置１４を回転カッター６０と上下カッター６２で構成しているため、汚泥を円滑に且つ確実にサイコロ状の細かな外形に分割することができる。
【００７４】
そして、乾燥装置１５では、通気構造２３ａを持ったコンベア２３によってサイコロ状に細かくされた汚泥Ｓ２を搬送することで、汚泥がさらに乾燥し、所望の含水率まで低下する。例えば、サイコロ状の汚泥Ｓ２をコンベア２３で自然乾燥させることで、７５ｗｔ％程度で乾燥装置１５に投入された汚泥の含水率が５５ｗｔ％程度まで低下することが確認された。なお、同条件で切断装置１４を用いない構成の場合には、７５ｗｔ％程度で乾燥装置１５に投入された汚泥の含水率は６５ｗｔ％程度までしか低下しなかった。
【００７５】
この場合、本実施形態に係る汚泥脱水乾燥システム１０は、薬剤として高分子凝集剤Ｆ１及び鉄系の無機凝集剤Ｆ２を添加した汚泥をろ過体であるろ布ベルト１６で搬送しながら重力ろ過して濃縮する濃縮装置１２と、濃縮装置１２で濃縮された汚泥を一対のろ布ベルト２０，２２間で搬送しながら加圧脱水する脱水装置１３と、脱水装置１３で脱水された汚泥を切断する切断装置１４と、切断装置１４で切断された汚泥を通気構造２３ａを有したコンベア２３で搬送しながら乾燥させる乾燥装置１５とを備える。
【００７６】
このように、システム１０では、濃縮装置１２及び脱水装置１３によって十分に脱水された汚泥を切断装置１４で細かく切断してから乾燥装置１５に導入して乾燥させる。従って、切断装置１４に導入される汚泥の含水率が十分に低下しているため、汚泥がぱさぱさした性状となり、例えば回転カッター６０や上下カッター６２で容易に切断することができる。このため、上記特許文献１の構成のように汚泥を多孔板に対して押圧する等の大型の設備が不要であり、簡素且つ低コストで構成可能な切断装置１４で脱水汚泥を細かく分割することができると共に、汚泥の含水率が十分に低下していることから切断後の汚泥の形状が保持される。しかも乾燥装置１５は、このように含水率が低下した状態で細かく切断された汚泥を乾燥させればよいため、コンベア２３で搬送するだけの自然乾燥であっても所望の含水率まで汚泥を乾燥させることができる。この際、汚泥は切断後の形状、つまり多面形状が保持されているため、乾燥装置１５で空気に触れる表面積が大きくなり、乾燥効率が向上する。このため、上記特許文献１の構成のように汚泥を乾燥させるためのヒータやクーラ等の設備が不要となり、一層低コストで脱水汚泥を乾燥することができる。
【００７７】
一方、上記特許文献１のような従来技術では、脱水汚泥の含水率が８０ｗｔ％を超えるようなこともあり、切断後の形状を保持することができず、切断された汚泥がもとの汚泥の塊に戻ってしまうことになり、その結果、乾燥装置で空気に触れる面積が大きくならず、乾燥が促進されない。また、汚泥の脱水を遠心脱水機で行う場合も同様であり、汚泥は基本的に砂粒状であるので切断することができず、互いに密着しているので、空気に触れる面積は小さいものとなり、その結果、乾燥が促進されない。
【００７８】
これに対して、当該システム１０では、濃縮装置１２及び脱水装置１３を用いることで、切断装置１４に投入される直前の汚泥の含水率を従来一般的な脱水機よりも大幅に低い値、例えば下水汚泥を７５ｗｔ％以下程度とすることで、切断装置１４での汚泥の円滑な切断と、乾燥装置１５での十分な乾燥とが可能となっている。すなわち、当該システム１０では、切断装置１４に投入される汚泥の含水率を十分に下げることができるため、例えば回転カッター６０や上下カッター６２を用いた切断装置１４で切断しても汚泥の形状が崩れずに残る。その結果、通気構造２３ａを有したコンベア２３を用いた乾燥装置１５において、汚泥の風に当たる表面積を大きく確保することができ、高い乾燥効率で汚泥を乾燥させることができる。
【００７９】
なお、上記では、高分子凝集剤Ｆ１及び鉄系の無機凝集剤Ｆ２の両方を濃縮装置１２で汚泥に添加する薬剤として例示したが、例えば当該システム１０で脱水乾燥する汚泥の性状や種類によっては必ずしも両者を添加する必要はない。但し、当該システム１０を用いた実験では、嫌気性消化汚泥の処理において、高分子凝集剤Ｆ１のみを用いる場合よりも鉄系の無機凝集剤Ｆ２のみを用いる場合の方が含水率が低下する結果が得られているため、少なくとも鉄系の無機凝集剤Ｆ２は用いることが好ましい。
【００８０】
当該システム１０では、切断装置１４を回転カッター６０及び上下カッター６２で構成し、汚泥Ｓをサイコロ状の汚泥Ｓ２に形成することができる。このため、このようなサイコロ状の汚泥Ｓ２はコンベア２３での搬送時に互いに積み重なった状態となっても十分な空隙ができ、その通気性は十分に確保できる。
【００８１】
また、本実施形態に係る汚泥脱水乾燥システム１０は、薬剤として高分子凝集剤Ｆ１及び鉄系の無機凝集剤Ｆ２を添加して脱水された汚泥を切断する切断装置１４と、切断装置１４で切断された汚泥を通気構造２３ａを有したコンベア２３で搬送しながら乾燥させる乾燥装置１５とを備え、切断装置１４は、汚泥の搬送方向に直交する方向に等間隔で複数並んで設けられ、搬送される汚泥に接触して回転することで、汚泥を搬送方向に沿って切断する円板状の回転カッター６０と、汚泥の搬送方向に直交する方向に延在するように設けられ、搬送される汚泥に対して上下動しながら接触することで、汚泥を搬送方向に直交する方向に沿って切断する板状の上下カッター６２とのうち、少なくとも一方のカッターを有する。
【００８２】
すなわち、例えば上記した濃縮装置１２及び脱水装置１３以外の脱水設備を用いた場合であっても汚泥が十分に脱水されていれば、回転カッター６０や上下カッター６２で構成された切断装置１４を用いることで汚泥を細かく切断し、乾燥装置１５で十分に乾燥することができるため、低コストでの汚泥の乾燥処理が可能となる。
【００８３】
なお、本発明は、上記した実施形態に限定されるものではなく、本発明の主旨を逸脱しない範囲で自由に変更できることは勿論である。
【００８４】
例えば上記実施形態では、脱水装置１３の後段に切断装置１４及び乾燥装置１５を続けて設置した構成を例示したが、切断装置１４や乾燥装置１５は脱水装置１３から離れた位置に別途設置されてもよい。
【符号の説明】
【００８５】
１０  汚泥脱水乾燥システム
１２  濃縮装置
１３  脱水装置
１４  切断装置
１５  乾燥装置
１６，２０，２２  ろ布ベルト
１８  ろ過部
２３  コンベア
２３ａ  通気構造
２４  凝集混和槽
２５，２６  予備脱水ローラ
２８  圧密機構
３０  移動機構
３６，３８  薬注装置
４０ａ，４０ｂ  スクリュー
４２ａ，４２ｂ  案内板
５０  脱水部
５２  圧搾部
５４  搬出トレイ
６０  回転カッター
６２  上下カッター
６８  カバー部材
７０，７２  ベルト
７２ａ  凹凸構造
Ｆ１  高分子凝集剤
Ｆ２  無機凝集剤
Ｓ，Ｓ１，Ｓ２  汚泥
【図１】
0006527014.tif 000002
【図２】
0006527014.tif 000003
【図３】
0006527014.tif 000004
【図４】
0006527014.tif 000005
【図５】
0006527014.tif 000006
【図６】
0006527014.tif 000007
【図７】
0006527014.tif 000008